(57)【要約】【課題】形状記憶合金製のワイヤ部材によって石座を数珠つなぎ状としても、宝玉を常に相手に見える向きとすることが可能な装身具を提供する。  【解決手段】宝玉４が上部に嵌め込まれることにより宝玉を保持する四角枡形状の複数の石座２と、複数の石座２を連結する１本のワイヤ部材３とを備える。石座２における対面した側面部１１に非円形の穴からなる連結用開口部１４が形成される。ワイヤ部材３は連結用開口部１４に対応した非円形断面に形成され、連結用開口部１４に挿通されることにより複数の石座２を連結する。ワイヤ部材３は着用者の体温近辺の温度域でリング状となる形状が記憶された形状記憶合金によって形成される。【選択図】図７
2018134375.tif 000002
【特許請求の範囲】
【請求項１】
宝玉が上部に嵌め込まれることにより宝玉を保持する四角枡形状の複数の石座と、
複数の石座を連結するワイヤ部材と、を備え、
前記石座における対面した側面部に非円形の穴からなる連結用開口部が形成され、
前記ワイヤ部材は前記連結用開口部に対応した非円形断面に形成され、前記連結用開口部に挿通されることにより前記複数の石座を連結し、
前記ワイヤ部材は着用者の体温近辺の温度域でリング状となる形状が記憶された形状記憶合金によって形成されていることを特徴とする装身具。
【請求項２】
前記ワイヤ部材は着用者の体温近辺の温度域で複数巻きのリング状となる形状が記憶された形状記憶合金によって形成されていることを特徴とする請求項１記載の装身具。
【請求項３】
前記ワイヤ部材は着用者の体温近辺の温度域で単巻きのリング状となる形状が記憶された形状記憶合金によって形成されていることを特徴とする請求項１記載の装身具。
【請求項４】
前記連結用開口部は長辺部が前記石座の宝玉取り付け面と平行となる横長四角形状の穴によって形成され、前記ワイヤ部材は横長四角形断面に形成されていることを特徴とする請求項１乃至３のいずれか１項記載の装身具。
【請求項５】
前記連結用開口部は長辺部が前記石座の宝玉取り付け面と直交する縦長四角形状の穴によって形成され、前記ワイヤ部材は縦長四角形断面に形成されていることを特徴とする請求項１乃至３のいずれか１記載の装身具。
【請求項６】
前記連結用開口部は長辺部が前記石座の宝玉取り付け面と平行となる横長四角形状の穴と、長辺部が前記石座の宝玉取り付け面と直交する縦長四角形状の穴とによって形成され、前記横長四角形状の穴が前記石座の対面した一の側面部に形成され、前記縦長四角形状の穴が前記石座の対面した他の側面部に形成されていることを特徴とする請求項１乃至３のいずれか１項記載の装身具。
【請求項７】
前記連結用開口部は正四角形状の穴によって形成され、前記ワイヤ部材は正四角形断面に形成されていることを特徴とする請求項１乃至３のいずれか１項記載の装身具。
【請求項８】
前記連結用開口部は楕円形状の穴によって形成され、前記ワイヤ部材は楕円形断面に形成されていることを特徴とする請求項１乃至３のいずれか１項記載の装身具。
【請求項９】
前記連結用開口部は長円形状の穴によって形成され、前記ワイヤ部材は長円形断面に形成されていることを特徴とする請求項１乃至３のいずれか１項記載の装身具。
【請求項１０】
前記石座は打ち抜き加工された原形板金をプレス加工することにより四角枡形状に形成され、前記石座の側面部は原形板金の側面片の突合せによって形成され、突き合わされた側面片がレーザー溶接されていることを特徴とする請求項１乃至９のいずれか１項記載の装身具。
【請求項１１】
前記石座は４つの側面部の角部分から上方に突出し加締められることにより前記宝玉を固定する爪部を有していることを特徴とする請求項１乃至１０のいずれか１項記載の装身具。
【請求項１２】
前記ワイヤ部材は複数の石座を連結した石座連結体の両端部から外側に抜き出された余長部分を有し、当該余長部分に前記石座連結体からの石座の抜け止めを行う抜け止め部が設けられていることを特徴とする請求項１乃至１１のいずれか１項記載の装身具。
【請求項１３】
前記抜け止め部は前記ワイヤ部材の余長部分における前記石座連結体の一方の端部に対応して取り付けられた雄金具と、他方の端部に対応して取り付けられた雌金具とからなり、
前記雄金具は、前記雌金具内に係脱自在に挿入される板ばねからなり、前記板ばねに前記雌金具との係合を解除するための押し下げ部が形成され、
前記雌金具は、前記雄金具が挿入されるケースからなり、前記ケースは前記押し下げ部より高く形成されていることを特徴とする請求項１２記載の装身具。
【請求項１４】
前記抜け止め部は前記ワイヤ部材の余長部分における前記石座連結体の両端部に対応して設けられた飾りボタンであることを特徴とする請求項１２記載の装身具。
【請求項１５】
前記ワイヤ部材はマルテンサイト変態を呈するＮｉ−Ｔｉ合金又はＣｕ−Ｚｎ−Ａｌ合金であることを特徴とする請求項１乃至１４のいずれか１項記載の装身具。
【請求項１６】
非円形の穴からなる連結用開口部が形成された複数の駒が横並び状に連結され、長さ方向の両端部が自由端となっているバンドと、
前記連結用開口部に対応した非円形断面に形成され、前記複数の駒に挿通されて複数の駒を横並び状に連結するワイヤ部材と、を備え、
前記ワイヤ部材は着用者の体温近辺の温度域でリング状となる形状が記憶された形状記憶合金によって形成されていることを特徴とする装身具。
【請求項１７】
前記ワイヤ部材は着用者の体温近辺の温度域で複数巻きのリング状となる形状が記憶された形状記憶合金によって形成されていることを特徴とする請求項１６記載の装身具。
【請求項１８】
前記連結用開口部は幅方向が長い横長四角形状の穴によって形成され、前記ワイヤ部材は横長四角形断面に形成されていることを特徴とする請求項１６記載の装身具。
【請求項１９】
前記ワイヤ部材における少なくとも一方の端部に飾り部材又は携帯型機器からなる端末部材が着脱自在に取り付けられていることを特徴とする請求項１６記載の装身具。
【請求項２０】
前記駒は貴金属光沢を発する材料によって形成されていることを特徴とする請求項１６記載の装身具。
【請求項２１】
前記複数の駒は前記ワイヤ部材の長さ方向に沿って幅寸法が漸減する形状に形成されていることを特徴とする請求項１６記載の装身具。
【請求項２２】
幅方向が長い横長四角形断面に形成され、着用者の体温近辺の温度域でリング状となる形状が記憶された形状記憶合金からなるワイヤ部材と、
前期ワイヤ部材を被覆するカバー部材と、
前記ワイヤ部材の長さ方向の少なくとも一端部に着脱自在に連結される飾り部材又は携帯型機器からなる端末部材と、を備えていることを特徴とする装身具。
【請求項２３】
前記ワイヤ部材は着用者の体温近辺の温度域で複数巻きのリング状となる形状が記憶された形状記憶合金によって形成されていることを特徴とする請求項２２記載の装身具。
【請求項２４】
前記ワイヤ部材における少なくとも一方の端部に飾り部材又は携帯型機器が着脱自在に取り付けられていることを特徴とする請求項２２記載の装身具。
【発明の詳細な説明】
【技術分野】
【０００１】
本発明は、ブレスレット、ネックレス等の装身具に関し、特に、宝玉が常に相手から見える構造とすることにより良好な装飾性を有した装身具に関する。
【背景技術】
【０００２】
特許文献１には、球状の宝玉を形状記憶合金からなるワイヤによって数珠つなぎ状に連続させたネックレスが記載されている。芯材となるワイヤは円形断面形状となっており、着用者の体温近辺でリング状となる形状が記憶されている。この構造のネックレスでは、着用することにより着用者の体温で自動的にリング状に復元するため、首回りへの装飾性を付与するようになっている。
【０００３】
しかしながら、特許文献１のネックレスでは、宝玉を石座に取り付け、この石座をワイヤによって連続させた装身具に適用することができないものである。ワイヤが円形断面であって方向性（向き）への規制がなく、このようなワイヤによって石座を連続させた場合、石座がワイヤの回りで回って任意の方向に向くため、石座に固定した宝玉を常に相手に見える向きとすることができないためである。
【０００４】
特許文献２には、宝玉を石座に取り付け、石座を数珠つなぎ状とした構造であっても、宝玉が相手に見える向きとすることが可能な装身具が記載されている。この装身具は、四角枡形状の石座に宝玉を固定すると共に石座の側面に連結用穴を形成し、この連結用穴に連結部材を抜け止め状態で差し込むことにより複数の石座を連結する構造となっている。連結部材としては金属からなる短尺な平板が使用される。石座の連結用穴は石座の側面部に形成されており、側面部の連結用穴に平板状の連結部材を差し込むことにより石座が連結される。石座の下面には、石座の回転を防止するために石座の側面部よりも外側に延びる受け板部が形成され、この受け板部に連結部材が接触する。この接触によって石座が連結部材の板厚方向へ回転することを防止している。これにより石座の向きが揃うため、宝玉を相手側に揃えることができ、宝玉を相手に見せることが可能となっている。
【先行技術文献】
【特許文献】
【０００５】
【特許文献１】特開平９−１０３３１０号公報
【特許文献２】特許第３２６８４９３号公報
【発明の概要】
【発明が解決しようとする課題】
【０００６】
上述した特許文献１の装身具では、ワイヤが円形断面形状のため、宝玉を石座に取り付けた構造とした場合、ワイヤに対して石座が回転して宝玉を常に相手に見える向きとすることができないができない問題がある。このため特許文献１の装身具では、石座を用いた装身具に使用することができないものとなっている。
【０００７】
特許文献２の装身具では、石座を用いるが、石座を連結する連結部材が短尺であるため、連結部材としてリング状に復元する長尺な形状記憶合金製のワイヤを用いることができないものとなっている。このため、装身具の着用の際に着用者の体温で自動的にリング状となる機能を備えることができない問題がある。又、特許文献２の装身具では、石座を連結部材によって１つずつ連結する構造のため、石座を数珠つなぎ状とする作業が面倒で熟練を要しており、装身具を製造するために多くの労力と時間が必要となっている。さらに、強度保持のため、連結部材としてステンレス等の硬い材料を用いる必要がある。これにより石座を連結部材によって連続させた装身具の全体が硬くなり、着用しにくいばかりでなく、任意の着用形態への適用が制限される問題がある。加えて、連結部材が切れたり折れやすいため、装身具の数珠つなぎが簡単に分解する問題も有している。
【０００８】
本発明は、以上の従来技術の問題点を考慮してなされたものであり、形状記憶合金製のワイヤを用いると共に、このワイヤによって石座を数珠つなぎ状としても、宝玉を常に相手に見える向きとすることが可能な装身具を提供することを目的とする。
【課題を解決するための手段】
【０００９】
本発明の装身具は、宝玉が上部に嵌め込まれることにより宝玉を保持する四角枡形状の複数の石座と、複数の石座を連結するワイヤ部材と、を備え、前記石座における対面した側面部に非円形の穴からなる連結用開口部が形成され、前記ワイヤ部材は前記連結用開口部に対応した非円形断面に形成され、前記連結用開口部に挿通されることにより前記複数の石座を連結し、前記ワイヤ部材は着用者の体温近辺の温度域でリング状となる形状が記憶された形状記憶合金によって形成されていることを特徴とする。
【００１０】
本発明において、前記ワイヤ部材は着用者の体温近辺の温度域で複数巻きのリング状となる形状が記憶された形状記憶合金によって形成されていることを特徴とする。
又、前記ワイヤ部材は着用者の体温近辺の温度域で単巻きのリング状となる形状が記憶された形状記憶合金によって形成されていることを特徴とする。
【００１１】
本発明では、前記連結用開口部は長辺部が前記石座の宝玉取り付け面と平行となる横長四角形状の穴によって形成され、前記ワイヤ部材は横長四角形断面に形成されていることを特徴とする。
又、前記連結用開口部は長辺部が前記石座の宝玉取り付け面と直交する縦長四角形状の穴によって形成され、前記ワイヤ部材は縦長四角形断面に形成されていることを特徴とする。
さらに、前記連結用開口部は長辺部が前記石座の宝玉取り付け面と平行となる横長四角形状の穴と、長辺部が前記石座の宝玉取り付け面と直交する縦長四角形状の穴とによって形成され、前記横長四角形状の穴が前記石座の対面した一の側面部に形成され、前記縦長四角形状の穴が前記石座の対面した他の側面部に形成されていることを特徴とする。
又、前記連結用開口部は正四角形状の穴によって形成され、前記ワイヤ部材は正四角形断面に形成されていることを特徴とする。
さらに、前記連結用開口部は楕円形状の穴によって形成され、前記ワイヤ部材は楕円形断面に形成されていることを特徴とする。
さらに、前記連結用開口部は長円形状の穴によって形成され、前記ワイヤ部材は長円形断面に形成されていることを特徴とする。
【００１２】
本発明では、前記石座は打ち抜き加工された原形板金をプレス加工することにより四角枡形状に形成され、前記石座の側面部は原形板金の側面片の突合せによって形成され、突き合わされた側面片がレーザー溶接されていることを特徴とする。
又、前記石座は４つの側面部の角部分から上方に突出し加締められることにより前記宝玉を固定する爪部を有していることを特徴とする。
【００１３】
本発明において、前記ワイヤ部材は複数の石座を連結した石座連結体の両端部から外側に抜き出された余長部分を有し、当該余長部分に前記石座連結体からの石座の抜け止めを行う抜け止め部が設けられていることを特徴とする。
前記抜け止め部は前記ワイヤ部材の余長部分における前記石座連結体の一方の端部に対応して取り付けられた雄金具と、他方の端部に対応して取り付けられた雌金具とからなり、前記雄金具は、前記雌金具内に係脱自在に挿入される板ばねからなり、前記板ばねに前記雌金具との係合を解除するための押し下げ部が形成され、前記雌金具は、前記雄金具が挿入されるケースからなり、前記ケースは前記押し下げ部より高く形成されていることを特徴とする。
又、前記抜け止め部は前記ワイヤ部材の余長部分における前記石座連結体の両端部に対応して設けられた飾りボタンであることを特徴とする。
本発明における前記ワイヤ部材はマルテンサイト変態を呈するＮｉ−Ｔｉ合金又はＣｕ−Ｚｎ−Ａｌ合金であることを特徴とする。
【００１４】
本発明の別の装身具は、非円形の穴からなる連結用開口部が形成された複数の駒が横並び状に連結され、長さ方向の両端部が自由端となっているバンドと、前記連結用開口部に対応した非円形断面に形成され、前記複数の駒に挿通されて複数の駒を横並び状に連結するワイヤ部材と、を備え、前記ワイヤ部材は着用者の体温近辺の温度域でリング状となる形状が記憶された形状記憶合金によって形成されていることを特徴とする。
【００１５】
この装身具において、前記ワイヤ部材は着用者の体温近辺の温度域で複数巻きのリング状となる形状が記憶された形状記憶合金によって形成されていることを特徴とする。
又、前記連結用開口部は幅方向が長い横長四角形状の穴によって形成され、前記ワイヤ部材は横長四角形断面に形成されていることを特徴とする。
又、前記ワイヤ部材における少なくとも一方の端部に飾り部材又は携帯型機器からなる端末部材が着脱自在に取り付けられていることを特徴とする。
又、前記駒は貴金属光沢を発する材料によって形成されていることを特徴とする。
さらに、前記複数の駒は前記ワイヤ部材の長さ方向に沿って幅寸法が漸減する形状に形成されていることを特徴とする。
【００１６】
本発明のさらに別の装身具は、幅方向が長い横長四角断面に形成され、着用者の体温近辺の温度域でリング状となる形状が記憶された形状記憶合金からなるワイヤ部材と、前期ワイヤ部材を被覆するカバー部材と、前記ワイヤ部材の長さ方向の少なくとも一端部に着脱自在に連結される飾り部材又は携帯型機器からなる端末部材と、を備えていることを特徴とする。
【００１７】
この装身具において、前記ワイヤ部材は着用者の体温近辺の温度域で複数巻きのリング状となる形状が記憶された形状記憶合金によって形成されていることを特徴とする。
又、前記ワイヤ部材における少なくとも一方の端部に飾り部材又は携帯型機器が着脱自在に取り付けられていることを特徴とする。
【発明の効果】
【００１８】
本発明の装身具は、宝玉を保持する石座の側面部に非円形の穴からなる連結用開口部を形成し、この連結用開口部に非円形断面のワイヤ部材を挿通して数珠つなぎ状とするため、石座が回転することがなく、全ての石座の向きを一定とすることができ、宝玉を相手に見える向きとすることができる。又、複数の石座を連結するワイヤ部材として着用者の体温近辺の温度域でリング状となる形状が記憶された形状記憶合金を用いるため、装身具を着用すると自動的にリング状となる機能を備えることができる。以上により、本発明の装身具は着用の際に宝玉を見せることができるため、装飾性を向上させることができる。
【００１９】
本発明の装身具では、ワイヤ部材を石座の連結用開口部に挿通させる作業を連続的に行うことにより、複数の石座を数珠つなぎ状とすることができる。このため石座を数珠つなぎ状とする作業が容易で熟練が不要となり、装身具の製造を省力化且つ迅速に行うことができる。さらに、ワイヤ部材として形状記憶合金を用いるため、形状記憶合金の柔軟性が装身具に付与され、装身具の着用が円滑で、しかも任意の着用形態に適用することができる。ワイヤ部材が柔軟性を有しているため、切れたり折れることがなく、装身具の分解を抑制することができる。
【図面の簡単な説明】
【００２０】
【図１】本発明の装身具をネックレスに用いた場合の斜視図である。
【図２】装身具をブレスレットに用いた場合の斜視図である。
【図３】（Ａ）、（Ｂ）は石座を示す斜視図である。
【図４】石座に用いる原形板金を示す平面図である。
【図５】（Ａ）は記憶されたリング状となったワイヤ部材の斜視図、（Ｂ）は通常状態の斜視図である。
【図６】装身具の組み立ての第１段階を示す斜視図である。
【図７】装身具の組み立てのその後の段階を示す斜視図である。
【図８】宝玉を省略した図７の状態を示す平面図である。
【図９】装身具をブレスレットとして用いた装着状態を示す斜視図である。
【図１０】装身具をネックレスとして用いた装着状態を示す斜視図である。
【図１１】石座の第１の別の形態を示す斜視図である。
【図１２】石座の第２の別の形態を示す斜視図である。
【図１３】石座の第３の別の形態を示す斜視図である。
【図１４】ワイヤ部材に抜け止め部を取り付けた状態を示す斜視図である。
【図１５】抜け止め部を断面で示す図１４の側面図である。
【図１６】抜け止め部の動作を示す断面図である。
【図１７】抜け止め部の構造を示す断面図である。
【図１８】石座の第４の別の形態を示す斜視図である。
【図１９】図１８の石座に用いるワイヤ部材を示し、（Ａ）は通常状態の斜視図、（Ｂ）は単巻き状のリング状となった状態の斜視図、（Ｃ）は複数巻きのリング状となった状態の斜視図、（Ｄ）はねじった状態の斜視図である。
【図２０】図１９のワイヤ部材を用いた装身具の装着状態を示し、（Ａ）はネックレスの状態、（Ｂ）はブレスレットの状態である。
【図２１】（Ａ）は石座の第５の別の形態を示す斜視図、（Ｂ）は（Ａ）の石座に用いるワイヤ部材の斜視図である。
【図２２】（Ａ）は石座の第６の別の形態を示す斜視図、（Ｂ）は（Ａ）の石座に用いるワイヤ部材の斜視図である。
【図２３】別の形状を記憶したワイヤ部材の斜視図である。
【図２４】本発明の第２実施形態の装身具を示す全体斜視図である。
【図２５】図２４の装身具に用いるバンドを示す部分斜視図である。
【図２６】図２４の装身具のバンドの中央部分の断面図である。
【図２７】図２５におけるＮ−Ｎ線断面図である。
【図２８】ワイヤ部材の端部に端末部材を連結する構造を示す断面図である。
【図２９】本発明の第３実施形態の装身具を示す全体斜視図である。
【図３０】図２９におけるＱ−Ｑ線断面図である。
【図３１】第３実施形態の変形々態の装身具を示す全体斜視図である。
【発明を実施するための形態】
【００２１】
本発明の装身具は、宝玉４を保持する石座２の複数に対して１本のワイヤ部材３が挿通することにより複数の石座２を数珠つなぎ状に連結した構造である。ワイヤ部材３は着用者の体温近辺の温度でリング状となる形状が記憶された形状記憶合金によって形成される。石座２の側面部１１には、ワイヤ部材３が挿通する連結用開口部１４が形成される。
本発明では、連結用開口部１４が非円形の穴によって形成されると共に、連結用開口部に挿通するワイヤ部材３も連結用開口部１４に対応した非円形断面に形成される。石座２の連結用開口部１４と連結用開口部１４を挿通するワイヤ部材３とが共に非円形となっていることにより、石座２がワイヤ部材３に対して回転することがなく、全ての石座２を同じ向きとすることができる。従って、石座２に保持された宝玉４を相手から見える向きとすることができる。非円形としては、長四角形（矩形）、正四角形、楕円形、長円形、三角形、五角形以上の多角形等を適宜選択することができる。
以下、本発明を実施形態により具体的に説明する。
【００２２】
図１〜図１０は本発明の一実施形態であり、図１及び図２は装身具１を示し、図３は石座２を示す。図１及び図２に示すように、この実施形態の装身具１は、宝玉４をそれぞれ保持する複数の石座２と、複数の石座２を連結する１本のワイヤ部材３とを有する。宝玉４としては、ダイヤモンド、サファイア、その他のものを使用することができる。図３に示すように、左右方向（長さ方向）をＸ方向、上下方向（高さ方向）をＹ方向、前後方向をＺ方向として説明する。
【００２３】
図３に示すように、石座２は上面が開口された四角枡形状に形成される。石座２は全体が金色や銀色等の光沢を呈する金、白金、銀等の貴金属或いはこれらの貴金属が表面にメッキされたメッキ金属によって形成され、それ自体で装飾性を備えている。石座２は４つの側面部１１が同大の正方形となっていることにより上面が開口された四角枡形状となっている。
【００２４】
４つの側面部１１の角部には、上方に突出する４つの爪部１３が形成される。爪部１３は石座２の上部に設けられており、爪部１３の間には図６に示すように、宝玉４が嵌め込まれる。この嵌め込み状態で爪部１３を加締めることにより宝玉４が固定される。これにより宝玉４が石座２の上部に保持状態で固定される。かかる宝玉４の固定に際しては、爪部１３を加締めた後、爪部１３をスポット的にレーザー照射して溶融させることも可能であり、この爪部１３のスポット的な溶融によって宝玉４をさらに強固に固定することができる。
図示する形態において、石座２の底面部分は閉じているが、底面部分を開口しても良い。底面部分を開口することにより石座２に保持された宝玉４を下側から見ることが可能となる。
【００２５】
石座２における対面した２つの側面部１１には、連結用開口部１４がそれぞれ形成される。この形態において、連結用開口部１４は左右方向（Ｘ方向）で対面している２つの側面部１１に対して対となるように形成され、前後方向（Ｚ方向）で対面した２つの側面部１１には形成されていない。左右方向で対となっている連結用開口部１４は同一高さ位置となるように左右方向の２つの側面部１１に形成されている。
図３に示すように、対となっている連結開口部１４は前後方向（Ｚ方向）に延びた同じ大きさの横長四角形状の穴１４ａによって構成されている。横長四角形状の穴１４ａは、長辺部１４１が宝玉取り付け面１２と平行となるように形成される。宝玉取り付け面１２は４つの側面部１１の上端部（上端面）によって形成される面である。長四角形状の穴１４ａの寸法は、後述するワイヤ部材３の幅及び厚さと一致するように形成される。かかる横長四角形状の穴１４ａからなる連結用開口部１４には、ワイヤ部材３が挿通するものであり、ワイヤ部材３の挿通によって石座２がワイヤ部材３に取り付けられる。
【００２６】
図４は石座２を成形するための原形板金５を示す。原形板金５は上述した金属材料の薄板を打ち抜き加工することにより形成されるものであり、四角枡形状を展開した形状となっている。すなわち原形板金５は正方形の底面片１５と、底面片１５の２片に連設した２つの縦面片１６と、それぞれの縦面片１６の前後（図示例では、左右）に連設した側面片１７とによって形成されている。側面片１７には、連結用開口部１４（横長四角形状の穴１４ａ）を形成するための矩形のスリット部１９が形成されている。この原形板金５をプレス加工することにより立体的な四角枡形状の石座２を作製する。
【００２７】
原形板金５のプレス加工では、２つの縦面片１６を底面片１５から立ち上げ、立ち上げた縦面片１６をさらに横プレスすることにより左右の側面片１７を同方向に折り曲げる。折り曲げられた左右の側面片１７は突き合わせられ、この側面片１７の突き合わせにより石座２の側面部１１が形成される。かかる側面片１７のスリット部１９によって連結用開口部１４（横長四角形状の穴１４ａ）が形成される。
【００２８】
突き合わせられた側面片１７の間には、隙間１８が形成されており（図３（Ａ）参照）、この隙間１８を掛け渡すように側面片１７をレーザー溶接する。図３（Ｂ）はレーザー溶接後の状態を示し、突き合わされている左右の側面片１７がレーザー溶接による溶接部２０によって結合する。これにより左右の側面部１１に強度が付与され、側面部１１が連結用開口部１４を有しても変形を防止することができる。レーザー溶接については省くことも可能である。
【００２９】
図５はワイヤ部材３を示す。ワイヤ部材３は石座２の連結用開口部１４に挿通されるものであり、ワイヤ部材３の挿通により複数の石座２が数珠つなぎ状に連結される。ワイヤ部材３は石座２の連結用開口部１４（横長四角形状の穴１４ａ）に対応した幅及び厚さを有した横長四角形断面に形成されている。ワイヤ部材３としては、例えば幅０．５ｍｍ、厚さ０．２５ｍｍの横長四角形断面に形成される。
【００３０】
ワイヤ部材３は横長四角形断面となっている形状記憶合金によって形成される。ワイヤ部材３としては、マルテンサイト変態を呈するＮｉ−Ｔｉ合金又はＣｕ−Ｚｎ−Ａｌ合金からなる形状記憶合金が選択される。形状記憶合金からなるワイヤ部材３は着用者の体温近辺の温度域でリング状となる形状が記憶されるものであり、着用者の体温近辺の温度域を外れる場合には単に延びた平板状となる。図５（Ａ）はワイヤ部材３が着用者の体温近辺の温度域にある状態、（Ｂ）はこの温度域を外れた状態を示す。着用者の体温近辺での変態開始温度としては、１０〜５０℃、好ましくは２０〜４０℃を選択することができる。
図５におけるワイヤ部材３は複数巻きのリング状（コイル状）となる形状が記憶されている。複数巻きのリング状となることにより、図９に示すように複数巻きのブレスレットへの適用が可能となる。ワイヤ部材３としては、Ｕ字形に近似した単巻きのリング状となる形状が記憶されたものであっても良い。単巻きのリング状となることにより、図１０に示すような首掛け一重ネックレスへの適用が可能となる。
【００３１】
図６〜図８は、この実施形態の装身具１の組み立て手順を示す。上述したように打ち抜き加工した原形板金５（図４参照）をプレス加工することにより図３に示す四角枡形状の石座２を作製する。この石座２の上部に対し宝玉４を嵌め込み、爪部１３を加締めて宝玉４を石座２に保持して固定する。
【００３２】
宝玉４が固定された石座２に対し、図６に示すようにワイヤ部材３を挿通する。ワイヤ部材３は対となっている側面部１１の連結用開口部１４（横長四角形状の穴１４ａ）に挿通させる。この挿通に際し、ワイヤ部材３は平板の状態として操作することが良好である。すなわち着用者の体温近辺から外れた温度域とすることによりワイヤ部材３を図５（Ｂ）に示す平板状態とし、この平板状態でワイヤ部材３を石座２の連結用開口部１４に挿通させることが良好である。
【００３３】
図７及び図８は、以上のワイヤ部材３の挿通を複数の石座２に対して連続的に行う状態を示す。ワイヤ部材３を複数の石座２に挿通することにより、複数の石座２がワイヤ部材３によって数珠つなぎ状に連結されて石座連結体６となる。このときワイヤ部材３の両端部は石座連結体６から外側に抜き出されることにより余長部分２１となる（図１及び図２参照）。かかる余長部分２１に対しては抜け止め部７が設けられる。図１及び図２において、抜け止め部７はワイヤ部材３の余長部分２１に取り付けた飾りボタンによって形成されている。なお、抜け止め部７としては飾りボタンではなく、余長部分２１の端部をレーザー等によって熱溶融させることによりワイヤ部材３の形状が拡大したボタン状としても良い。
【００３４】
このような装身具１は、宝玉４を保持する石座２の側面部１１に横長四角形状の穴１４ａからなる連結用開口部１４を形成し、この連結用開口部１４に横長四角形断面のワイヤ部材３を挿通してワイヤ部材３を連結用開口部１４に嵌め合わせることにより石座２を数珠つなぎ状とする。このため、石座２が回転することがなく、全ての石座の向きを一定とすることができる。このため、宝玉４を相手に見える向きとすることができ、良好な装飾性を有した装身具１とすることができる。又、複数の石座２を連結するワイヤ部材３として着用者の体温近辺の温度域でリング状となる形状が記憶された形状記憶合金を用いるため、着用することによって自動的にリング状となる機能を備えることができる。このリング状では、石座２が回転することがなく宝玉４を相手側に揃えることができるため、着用の際に宝玉４を相手側に見せることができ、装飾性を向上させることができる。
【００３５】
図２及び図９は、装身具１をブレスレットとして用いた状態を示し、着用者Ｍの手首に装身具１を複数回巻き付け、この巻き付け状態を短時間保持する。このことにより、ワイヤ部材３に着用者Ｍの体温が伝達してリング状に自動的に復元する。これにより、装身具１の全体が着用者Ｍの手首に巻き付いて装着される。この状態では全ての宝玉４が表側に位置して相手が見ることができるため、宝玉４による良好な装飾性を発揮することができる。
【００３６】
図１及び図１０は、装身具１をネックレスとして用いた状態を示す。ネックレスとして用いる場合、ワイヤ部材３としては着用者の体温近辺の温度域で単巻きのリング状となる形状が記憶される。この装身具１を着用者Ｍの首回りに吊り下げ、この吊り下げ状態を短時間保持する。このことにより、ワイヤ部材３に着用者Ｍの体温が伝達して単巻きのリング状に自動的に復元し、装身具１の全体が着用者Ｍの首回りに吊り下げられて装着される。この装着状態では、石座２が回転することがなく、石座２に固定された宝玉４が相手側を向いた状態となるため、宝玉４を相手が見ることができる。このため、宝玉４による良好な装飾性を発揮することができる。
【００３７】
図１、図２、図９及び図１０に示すように、装身具１は着用者Ｍの体温によって自動的にリング状となって着用者Ｍの身体に巻き付いた状態を保持する。このため、装身具１をリング状に保持するため、相互に係合するフック金具等の金具が不要となり、スッキリしたデザインの簡単な構造となり、外観が向上すると共に着用及び取り外しの操作が容易となる。
【００３８】
以上の実施形態の装身具１においては、１本のワイヤ部材３を石座２の連結用開口部１４に挿通させる作業を連続的に行うことにより、複数の石座２を数珠つなぎ状とすることができる。このため石座２を数珠つなぎ状とする作業が容易で熟練が不要となり、装身具１の製造を省力化且つ迅速に行うことができる。さらに、ワイヤ部材３として温度による形状変形力を有する柔軟性を備えた形状記憶合金を用いるため、形状記憶合金の柔軟性が装身具１に付与される。このため装身具１の着用が円滑で、しかも任意の着用形態に適用することができる。ワイヤ部材３が柔軟性を有しているため、切れたり、折れることがなく、装身具１の分解を抑制することができる。
【００３９】
次に、石座２の別の形態を図１１〜図１３及び図１８〜図２２により説明する。これらの形態において、同一の部材には同一の符号を付して対応させてある。
【００４０】
図１１は第１の別の形態の石座２を示す。図１１の石座２においては、全て（４つ）の側面部１１に対して連結用開口部１４を形成するものである。全ての連結用開口部１４は同形同大の横長四角形状の穴１４ａからなり、それぞれの側面部１１における同一の位置に形成される。この連結用開口部１４に対しワイヤ部材３の挿通が可能となっている。ワイヤ部材３は連結用開口部１４に対応した横長四角形断面に形成される。このように全ての側面部１１に対して連結用開口部１４を形成することにより、ワイヤ部材３の挿通時における石座２の姿勢を任意に選択することができるため、装身具１の組み立てが容易になる。
【００４１】
図１２は第２の別の形態の石座２を示す。図１２の石座２においては、前後方向（Ｚ方向）で対面する一対の側面部１１に対し、上下方向（Ｙ方向）の連結用開口部１４を形成するものである。連結用開口部１４は縦長四角形状の穴１４ｂからなり、この縦長四角形状の穴１４ｂからなる連結用開口部１４に対してワイヤ部材３を挿通する。縦長四角形状の穴１４ｂは長辺部１４１が宝玉取り付け面１２と直交するように形成される。
ワイヤ部材３は着用者の体温近辺の温度域でリング状となる形状が記憶された形状記憶合金によって形成される。ワイヤ部材３は連結用開口部１４（縦長四角形状の穴１４ｂ）に対応した縦長四角形断面に形成される。このような形態においては、宝玉４を相手が横方向から見る場合に適用することができる。
【００４２】
図１３は第３の別の形態の石座２を示す。図１３の石座２においては、対面する一対の側面部１１に対し、横方向及び縦方向の連結用開口部１４を形成するものである。すなわち、左右方向（Ｘ方向）で対面する一対の側面部１１に対しては、横長四角形状の穴１４ａからなる連結用開口部１４を形成し、前後方向（Ｚ方向）で対面する一対の側面部１１に対しては、縦長の四角形状の穴１４ｂからなる連結用開口部１４を形成するものである。横長四角形状及び縦長四角形状としては、同じ寸法の穴を横方向及び縦方向に形成することが良好である。
ワイヤ部材３は着用者の体温近辺の温度域でリング状となる形状が記憶された形状記憶合金によって形成される。この形態におけるワイヤ部材３は横長四角形断面のものを用い、石座２に対する挿通姿勢を横方向及び縦方向に変更することにより横長四角形状の穴１４ａ及び縦長四角形状の穴１４ｂの双方に対して共通して使用することができる。このように横方向及び縦方向の連結用開口部１４を形成することにより、相手が宝玉４を見るいずれの方向に対しても対応できるメリットがある。
【００４３】
図１８は第４の別の形態の石座２を示し、図１９はこの図１８の石座２に対応したワイヤ部材３を示す。
図１８に示すように、石座２における左右方向（Ｘ方向）で対面する一対の側面部１１に対し、正四角形状の穴１４ｃからなる連結用開口部１４が形成される。一対の側面部１１の正四角形状の穴１４ｃは同大となっており、対面した側面部１１に対し、同じ高さ位置及び前後位置に形成される。対面した側面部１１における正四角形状の穴１４ｃには、ワイヤ部材３が挿通される。
【００４４】
ワイヤ部材３は図１９に示すように、石座２の正四角形状の穴１４ｃに対応した断面に形成されるものであり、このためワイヤ部材３は正四角形断面に形成される。正四角形断面のワイヤ部材３を正四角形状の穴１４ｃからなる石座２の連結用開口部１４に挿通すると、ワイヤ部材３と連結用開口部１４とが嵌め合った状態となる。このため、石座２が回転することがなく、石座２が保持した宝玉４を相手側に向かせることができ、相手が宝玉４を視認することができる（図２０参照）。
【００４５】
正四角形断面のワイヤ部材３は着用者の体温近辺の温度域でリング状となる形状が記憶された形状記憶合金によって形成される。図１９（Ａ）は、着用者の体温近辺の温度域を外れた状態のワイヤ部材３を示し、単に延びた平板形状となる。同図（Ｂ）及び（Ｃ）は、着用者の体温近辺の温度域にあり、形状記憶した形状に復元した状態を示す。
【００４６】
同図（Ｂ）で示すワイヤ部材３はＵ字形に近似した単巻きのリング状となる形状が記憶されている。このような形状記憶状態で装身具１を着用すると、ワイヤ部材３が記憶された形状に復元するため、図２０（Ａ）で示すように、装身具１の全体が自動的に首掛け一重ネックレスとなる。この場合、石座２はワイヤ部材３に対して回転しないため、全ての宝玉４を着用者の前側に向かせることができ、良好な装飾性を発揮する装身具１とすることができる。
同図（Ｃ）で示すワイヤ部材３は複数巻きのリング状（コイル状）となる形状が記憶されている。このような複数巻きのリング状を形状記憶した状態で装身具１を着用すると、ワイヤ部材３が記憶された形状に復元するため、図２０（Ｂ）で示すように、装身具１の全体が自動的に複数巻きのブレスレットとなる。この場合、石座２はワイヤ部材３に対して回転しないため、全ての宝玉４を着用者の腕回りの外側に向かせることができる。このため、相手が全ての宝玉４を見ることができ、豪華な装飾性を発揮することができる。
同図（Ｄ）で示すワイヤ部材３は全体を長さ方向に沿ってねじった状態となっている。このワイヤ部材３を石座２の正四角形状の穴１４ｃに挿通させると、宝玉４が異なった方向に向いた状態となり、装飾性を発揮することができる。
【００４７】
図２１（Ａ）は第５の別の形態の石座２を示す。石座２における左右方向（Ｘ方向）で対面する一対の側面部１１に対し、楕円形状の穴１４ｄからなる連結用開口部１４が形成される。楕円形状の穴１４ｄは、その長軸が宝玉取り付け面１２に沿った状態で石座２に形成される。一対の側面部１１における楕円形状の穴１４ｄは同大となっていると共に、対面した側面部１１に対し、同じ高さ位置及び前後位置に形成される。対面した側面部１１における楕円形状の穴１４ｄにはワイヤ部材３が挿通される。
【００４８】
図２１（Ｂ）はこの石座２に挿通されるワイヤ部材３を示す。ワイヤ部材３は石座２の連結用開口部１４（楕円形状の穴１４ｄ）に対応するように、楕円形断面に形成される。その大きさは連結用開口部１４に嵌め込み可能なように設定される。このような楕円形断面のワイヤ部材３を楕円形状の穴１４ｄからなる石座２の連結用開口部１４に挿通すると、ワイヤ部材３と連結用開口部１４とが嵌め合った状態となる。このため、石座２が回転することがなく、石座２が保持した宝玉４を相手側に向かせることができ、相手が宝玉４を視認することができる。
【００４９】
ワイヤ部材３は着用者の体温近辺の温度域でリング状となる形状が記憶された形状記憶合金によって形成される。ワイヤ部材３として、複数巻きのリング状（コイル状）となる形状が記憶された場合、複数巻きのブレスレットとすることができ、単巻き状のリング状となる形状が記憶された場合、首掛け一重ネックレスとすることができる。
【００５０】
図２２（Ａ）は第６の別の形態の石座２を示す。石座２における左右方向（Ｘ方向）で対面する一対の側面部１１に対し、長円形状の穴１４ｅからなる連結用開口部１４が形成される。長円形状の穴１４ｅは楕円の長軸に沿った上下面が平行となった非円形である。一対の側面部１１における長円形状の穴１４ｅは同大となっていると共に、対面した側面部１１に対し、同じ高さ位置及び前後位置に形成される。対面した側面部１１における長円形状の穴１４ｅにはワイヤ部材３が挿通される。
【００５１】
図２２（Ｂ）はこの石座２に挿通されるワイヤ部材３を示す。ワイヤ部材３は石座２の連結用開口部１４（長円形状の穴１４ｅ）に対応するように、長円形断面に形成される。その大きさは連結用開口部１４に嵌め込み可能なように設定される。このような長円形断面のワイヤ部材３を長円形状の穴１４ｅからなる石座２の連結用開口部１４に挿通すると、ワイヤ部材３と連結用開口部１４とが嵌め合った状態となる。このため、石座２が回転することがなく、石座２が保持した宝玉４を相手側に向かせることができ、相手が宝玉４を視認することができる。
【００５２】
この形態においても、ワイヤ部材３は着用者の体温近辺の温度域でリング状となる形状が記憶された形状記憶合金によって形成される。ワイヤ部材３として、複数巻きのリング状（コイル状）となる形状が記憶された場合、複数巻きのブレスレットとすることができ、単巻き状のリング状となる形状が記憶された場合、首掛け一重ネックレスとすることができる。
【００５３】
図２３は本発明に使用可能なワイヤ部材３の別の記憶形状を示す。ワイヤ部材３は形状記憶合金によって形成されるが、図示例のワイヤ部材３では、着用者の体温近辺の温度域で１２角形となる形状が記憶される。１２角形における屈曲部３５は鈍角となっていると共に一部は開放されており、これにより単巻きのリング状となる形状が記憶される。ワイヤ部材３の断面としては、長四角形、正四角形、楕円形、長円形、五角形以上の多角形となる非円形とすることができる。
これに対し、石座２の連結用開口部１４をワイヤ部材３の非円形断面に合わせた穴形状とすることにより、ワイヤ部材３及び連結用開口部１４が嵌め合った状態となって石座２の回転がロックされる。このため、石座２が回転することがなく、石座２が保持した宝玉４を相手側に向かせることができ、相手が宝玉４を視認することができる
【００５４】
図１４〜図１７は、ワイヤ部材３の余長部分２１の抜け止め部７として、留め金具を用いた形態を示す。抜け止め部としての留め金具は雄金具２５及び雌金具２６からなり、石座連結体６から外側に抜き出されたワイヤ部材３の余長部分２１の両端部にそれぞれ固定される。
【００５５】
雄金具２５は図１５及び図１６に示すように、板ばね２７によって形成される。板ばね２７は雌金具２６側の先端部分（図示例では、左端部分）が細くなり、この先端部分（左端部分）から基端部分（右端部分）に向かって徐々に上下方向に離れるばね片によって形成されている。板ばね２７（雄金具２５）には、雌金具２６に係脱自在に係合する係合凸部２９が形成されている。又、板ばね２７の基端部分は、押し下げ部２８となっており、この押し下げ部２８を押し下げることにより雌金具２６との係合を解除することができる。
【００５６】
図１５及び図１６に示すように、雌金具２６は横長ブロック状のケース３０によって形成される。ケース３０には、雄金具２５が差し込まれる差し込み穴部３１が形成されると共に、雄金具２５の係合凸部２９が係合する係合穴部３２が形成されている。従って雄金具２５を雌金具２６のケース３０内に差し込むと、雄金具２５の係合凸部２９が雌金具２６の係合穴部３２に係合する。この係合により装身具１が無端状となるため、着用者への着用が可能となる。
【００５７】
以上に加えて、雌金具２６のケース３０は、図１７に示すように、雄金具２６の押し下げ部２８よりも高くなるように設定されている（ケース３０の高さｈ２＞押し上げ部２８の高さｈ１）。これにより周囲から不用意に外力が作用してもケース３０が外力を受けるため、外力が押し下げ部２８に加わることを抑制することができ、雄金具２５の不用意な係合解除を抑制できる。このような構造では、不用意な外力が作用しても雄金具２５が雌金具２６との締結から解除されることがないため、装身具１の着用状態を安定させることができる。
【００５８】
図２４〜図２７は、本発明の第２実施形態の装身具５１を示す。この形態の装身具５１は図２４に示すように、バンド５２、ワイヤ部材３及び端末部材５４によって形成されている。
【００５９】
バンド５１は複数の駒５３を横並び状に連結することにより形成される。バンド５２は長さ方向の両端部が自由端となっている。すなわちバンド５２は長さ方向の両端部にフック金具、雌雄嵌合金具等の連結用金具が取り付けられることがない。これによりスッキリしたデザインとなり外観が向上する。なお、図示例において、バンド５２の一側の端部には、端末部材５４が取り付けられるが、この端末部材５４は単なる飾りであってバンド５２をリング状に保持するための連結用金具とは異なっている。このように両端部を自由端としても、後述するように、着用者Ｍの身体に巻き付けることによりワイヤ部材３が自動的にリング状となって着用者Ｍの身体に巻き付いた状態を保持することができる。
【００６０】
駒５３は表面から貴金属光沢を発する材料によって形成される。駒５３の材料としては、金、白金、銀等の貴金属又はこれらの貴金属と他の金属との合金或いはこれらの貴金属が表面にメッキ被覆や蒸着された金属や樹脂を用いることができる。複数の駒５３のそれぞれが貴金属光沢を発しており、この駒５３が横並び状に連結されてバンド５２が形成されることによりバンド５２（すなわち装身具５１）に高級感を付与することができる。
【００６１】
図２５に示すように、それぞれの駒５２には、非円形の穴からなる連結用開口部５５が貫通するように形成され、この連結用開口部５５にワイヤ部材３が挿通する。ワイヤ部材３の挿通によって複数の駒５３が横並び状に連結されてバンド５２が形成される。連結用開口部５５はそれぞれの駒５３の長さ方向（Ｗ方向と直交する方向）を貫通するように形成される。
【００６２】
この実施形態において、非円形の連結用開口部５５は駒５３の幅方向（Ｗ方向）が長くなった横長四角形状に形成されて駒５３の長さ方向を貫通している。ワイヤ部材３はこの横長四角形状に対応した横長四角形断面に形成されて全体で扁平形状となっており、この状態で複数の駒５３に挿通する（図２６参照）。このように扁平形状のワイヤ部材３が複数の駒５３に挿通することにより駒５３が回転したり、浮き上がりや横ずれすることがなくなる。このため全ての駒５３を整列状態で横並び状とすることができ、バンド５２全体に高級感が付与されると共に外観が向上し、商品価値を増大させることができる。
この実施形態において、連結用開口部５５及びワイヤ部材３における非円形としては、正四角形、楕円形、長円形等であっても良い。
【００６３】
複数の駒５３における隣接した駒５３はワイヤ部材３の挿通により連結されるが、このワイヤ部材３による連結に加えて隣接する駒５２を相互に連結状態とする構造としても良い。図２５及び図２７はこの構造の一例を示す。隣接する一方の駒５２の端面には、ボール状の凸部５６及び穴状の凹部５７が連結用開口部５５を跨ぐように形成され、これに対応した他方の駒５２の端面には、凸部５６に対応した凹部５７及び凹部５７に対応した凸部５６が連結用開口部５５を跨ぐように形成されている。凸部５６及び凹部５７を嵌合させることにより隣接する駒５３を連結することができる。このように駒５３を連結状態とすることにより、バンド５２の組み立て時におけるワイヤ部材３の駒５３への挿通を容易且つ確実に行うことができる。
【００６４】
扁平断面（横長四角形断面）からなるワイヤ部材３は、着用者Ｍの体温近辺の温度域でリング状となる形状が記憶された形状記憶合金によって形成されている。ワイヤ部材３としては、マルテンサイト変態を呈するＮｉ−Ｔｉ合金又はＣｕ−Ｚｎ−Ａｌ合金からなる形状記憶合金が選択される。形状記憶合金からなるワイヤ部材３は着用者の体温近辺の温度域でリング状となる形状が記憶されるものであり、着用者の体温近辺の温度域を外れる場合には単に延びた平板状となる。すなわちワイヤ部材３は図５（Ａ）に示すように、着用者Ｍの体温近辺で複数巻きのリング状（コイル状）となる形状が記憶されており、着用者Ｍの体温近辺の温度域を外れた場合には、図５（Ｂ）で示すように、単に延びた平板状となる。このようなワイヤ部材３を備えたバンド５２は着用者Ｍの腕等に巻き付けることにより着用者の体温によって自動的にリング状となる。このため着用者の腕に美粧性を付与すると共にこの美粧性の付与状態で安定して装着される。
【００６５】
この実施形態において、複数の駒５３はワイヤ部材３の長さ方向に沿って幅寸法が漸減する形状に形成されている。すなわち、図２４に示すように、端末部材５４側の駒５３は幅が大きいのに対し反対側の駒５３は幅が小さくなり、この間の駒５３では幅が漸減するように駒５３が連結される。これによりバンド５２は横幅が長さ方向に沿って漸減した外観となる。従ってバンド５２に形状変化を付与することができるため、興趣性のある装身具５１とすることができる。
【００６６】
端末部材５４はワイヤ部材３の一側の端部に取り付けられる。端末部材５４はバンド５２に装飾性又は機能性を付与する部材であり、装飾性付与のためには、ブローチ等の飾り部材が選択され、機能性付与のためには万歩計（登録商標）、腕時計、ヘモグロビン測定器等の携帯型機器が選択される。図示する形態では、端末部材５４として腕時計が用いられている。かかる腕時計からなる端末部材５４はワイヤ部材３の端部に対して着脱自在となっている。
【００６７】
図２８は端末部材５４を着脱自在とするための構造の一例を示す。端末部材５４は図２４に示すように、腕時計からなる端末本体部５８と、端末本体部５８周囲の枠部材としてのベゼル部５９とを有しており、ベゼル部５９がワイヤ部材３に連結される。図２８に示すように、ベゼル部３には、一対の舌片状の係合口部６０が形成され、この係合口部６０に係合凹部６１が形成されている。
一方、ワイヤ部材３の端部には、着脱用金具６２が取り付けられる。着脱用金具６２は復元可能な板ばね部６３を有しており、この板ばね部６３に係合凸部６４が形成されている。着脱用金具６２をベゼル部５９の係合口部６０に挿入して係合凸部６４を係合凹部６１に係合させることにより、ワイヤ部材３の端部に端末部材５４を装着することができる。一方、板ばね部６３を押し下げることにより係合凹部６１と係合凸部６４との係合が解除されるため、ワイヤ部材３から端末部材５４を取り外すことができる。これにより端末部材５４を簡単に交換することができる。なお、ワイヤ部材３と端末部材５４との連結は、ねじ、その他の手段によって行うこともできる。
【００６８】
以上の装身具５１では、非円形の穴からなる連結用開口部５５が形成された複数の駒５３が横並び状に連結されたバンド５２と、複数の駒５３に挿通されて複数の駒５３を横並び状に連結するワイヤ部材３とを備え、ワイヤ部材３として着用者の体温近辺の温度域でリング状となる形状が記された形状記憶合金を用いるため、着用者の身体に自動的に巻き付いて装着される。このため、高級感を付与できると共に外観が向上し、商品価値を増大させることができる。又、装身具着用のために装身具５１をリング状に保持するためのフック金具等の金具が不要となるため、スッキリしたデザインとなると共に身体への着用が容易となる。
【００６９】
図２９及び図３０は、本発明の第３実施形態の装身具７１を示す。この実施形態の装身具７１は、ベルト部材７２と、端末部材５４とによって形成される。
【００７０】
ベルト部材７２はワイヤ部材３を芯材とし、この芯材をカバー部材７３が被覆した構造となっている。図３０はベルト部材７２の断面を示し、ワイヤ部材３の全周をカバー部材７３が被覆した状態となっている。
【００７１】
図３０に示すように、ワイヤ部材３は幅方向が長い横長四角形断面となっており、これにより扁平形状となっている。従って、腕等への着用を安定して行うことができる。ワイヤ部材３は着用者Ｍの体温近辺の温度域でリング状となる形状が記憶された形状記憶合金によって形成されている。ワイヤ部材３としては、マルテンサイト変態を呈するＮｉ−Ｔｉ合金又はＣｕ−Ｚｎ−Ａｌ合金からなる形状記憶合金が選択される。
形状記憶合金からなるワイヤ部材３は着用者の体温近辺の温度域でリング状となる形状が記憶されるものであり、着用者の体温近辺の温度域を外れる場合には単に延びた平板状となる。すなわちワイヤ部材３は図５（Ａ）に示すように、着用者Ｍの体温近辺で複数巻きのリング状（コイル状）となる形状が記憶されており、着用者Ｍの体温近辺の温度域を外れた場合には、図５（Ｂ）で示すように、単に延びた平板状となる。このようなワイヤ部材３を備えたベルト部材７２は着用者Ｍの腕等に巻き付けることにより着用者の体温によって自動的にリング状となる。このように自動的にリング状となって着用されるため、ベルト部材７２をリング状に保持するためのフック金具等の金具がベルト部材７２の両端部に不要となる。これにより簡単に着用できると共にスッキリしたデザインとなり外観が向上する。
【００７２】
ワイヤ部材３を被覆するカバー部材７３は着色された革、布、樹脂等によって形成されている。カバー部材７３がワイヤ部材３を被覆することによりカバー部材７３の質感や色がベルト部材７２に付与される。このためベルト部材７２に高級感を付与することができる。又、ワイヤ部材３が皮膚と接触しないため、ソフトな使用感とすることができる。
【００７３】
端末部材５４はワイヤ部材３の一側の端部に取り付けられる。端末部材５４はベルト部材７２に装飾性又は機能性を付与する部材であり、装飾性付与のためには、ブローチ等の飾り部材が選択され、機能性付与のためには万歩計（登録商標）、腕時計、ヘモグロビン測定器等の携帯型機器が選択される。図示する形態では、端末部材５４として万歩計（登録商標）が用いられている。この万歩計（登録商標）からなる端末部材５４はワイヤ部材３の端部に対して着脱自在となっている。
【００７４】
端末部材５４をワイヤ部材３に対して着脱自在とする構造は、図２８と同様な構造とすることができる。すなわち図２８に示すように、端末部材５４のベゼル部５９に一対の舌片状の係合口部６０を形成し、この係合口部６０に係合凹部６１を形成する。ワイヤ部材３の端部には、着脱用金具６２を取り付ける。着脱用金具６２は復元可能な板ばね部６３を有しており、この板ばね部６３に係合凸部６４が形成されている。着脱用金具６２をベゼル部５９の係合口部６０に挿入して係合凸部６４を係合凹部６１に係合させることにより、ワイヤ部材３の端部に端末部材５４を装着することができる。一方、板ばね部６３を押し下げることにより係合凹部６１と係合凸部６４との係合が解除されるため、ワイヤ部材３から端末部材５４を取り外すことができる。これにより端末部材５４を他の端末部材５４と簡単に交換することができる。
【００７５】
この実施形態において、ベルト部材７２は端末部材５４側の幅が大きいのに対し反対側の幅が小さくなり、この間では幅が漸減している。これによりベルト部材７２は横幅が長さ方向に沿って漸減した外観となる。従ってベルト部材７２に形状変化を付与することができるため、興趣性のある装身具７１とすることができる。
【００７６】
図３１は図２９の装身具７１の変形々態を示す。図３１に示す装身具７５において、端末部材５４として腕時計が用いられており、この端末部材５４の一側には、図２９と同様なベルト部材７２が取り付けられる。ベルト部材７２は内部のワイヤ部材３をカバー部材７３が被覆することにより形成される。
【００７７】
ワイヤ部材３は図３０と同様に、幅方向が長い横長四角形断面となっており、長さ方向の全体が扁平形状となっている。従って、腕等への着用を安定して行うことができる。ワイヤ部材３は着用者Ｍの体温近辺の温度域でリング状となる形状が記憶された形状記憶合金によって形成されている。ワイヤ部材３としては、マルテンサイト変態を呈するＮｉ−Ｔｉ合金又はＣｕ−Ｚｎ−Ａｌ合金からなる形状記憶合金が選択される。    
【００７８】
形状記憶合金からなるワイヤ部材３は着用者の体温近辺の温度域でリング状となる形状が記憶されるものであり、着用者の体温近辺の温度域を外れる場合には単に延びた平板状となる。すなわちワイヤ部材３は図５（Ａ）に示すように、着用者Ｍの体温近辺で複数巻きのリング状（コイル状）となる形状が記憶されており、着用者Ｍの体温近辺の温度域を外れた場合には、図５（Ｂ）で示すように、単に延びた平板状となる。このようなワイヤ部材３を備えたベルト部材７２は着用者Ｍの腕等に巻き付けることにより着用者の体温によって自動的にリング状となる。このように自動的にリング状となって着用されるため、ベルト部材７２をリング状に保持するためのフック金具等の金具がベルト部材７２の両端部に不要となる。
かかるベルト部材７２は図２８と同様な構造を用いることにより端末部材５４への取り付けが行われる。すなわちベルト部材７２の内部のワイヤ部材３が端末部材５４に着脱自在に取り付けられるものである。
なお、ベルト部材７２は端末部材５４側の幅が大きいのに対し反対側の幅が小さくなり、この間では幅が漸減した形状となっている。これによりベルト部材７２は横幅が長さ方向に沿って漸減した外観となる。従ってベルト部材７２に形状変化を付与することができるため、興趣性のある装身具７１とすることができる。
【００７９】
以上に加えて、この装身具７５では、端末部材５４の他側にサブベルト７６が取り付けられている。サブベルト７６は端末部材５４のベゼル部５９に取り付けられており、その先端部分にベルト金具７７が取り付けられている。ベルト金具７７の針金具７８をベルト部材７２に形成したベルト穴７９に差し込むことにより装身具７５を腕等に装着することができる。この実施形態において、ベルト穴７９はベルト部材７２における端末部材５４との近接箇所に形成されており、ベルト穴７９から遠ざかる残余のベルト部材７２は着用者の体温によってリング状となって自動的に腕等に巻き付けられる。このような残余のベルト部材７２によって装飾性が付与され、興趣性ある使用を行うことができる。
【００８０】
以上の図２９及び図３１に示す装身具として着用者の腕への巻き付けを説明したが、これに限らず、着衣のベルトにも同様に適用することができる。
【産業上の利用可能性】
【００８１】
本発明の装身具１は、宝玉４を保持する石座２の対面した側面部１１に非円形の穴からなる連結用開口部１４が形成され、石座２に挿通されるワイヤ部材３が連結用開口部１４に合わせた非円形断面に形成されるため、ワイヤ部材３が連結用開口部１４に嵌め合った状態となる。これにより石座２がワイヤ部材３に対して回転することがなくなり、全ての石座を同じ向きとすることができる。そしてワイヤ部材３を着用者の体温近辺の温度域でリング状となる形状が記憶された形状記憶合金によって形成する。このことにより装身具を着用すると、自動的にリング状となるため、着用の際に宝玉を見せることができ、装飾性を向上させることができる。
本発明の装身具１は、ワイヤ部材３を石座２の連結用開口部１４に挿通させる作業を連続的に行うことにより、複数の石座２を数珠つなぎ状とすることができ、石座２を数珠つなぎ状とするための作業が容易で熟練が不要となり、装身具１の製造を省力化且つ迅速に行うことができる。ワイヤ部材３として形状記憶合金を用いるため、ワイヤ部材３が柔軟性を有しており、切れたり、折れることがなく、装身具１の分解を抑制することができる。しかも形状記憶合金の柔軟性が装身具１に付与され、装身具１の着用が円滑となり任意の着用形態にも対応することができる。
【符号の説明】
【００８２】
１    装身具
２    石座
３    ワイヤ部材
４    宝玉
５    原形板金
６    石座連結体
７    抜け止め部
１１    側面部
１２    宝玉取り付け面
１３    爪部
１４    連結用開口部
１４ａ    横長四角形状の穴
１４ｂ    縦長四角形状の穴
１４ｃ    正四角形状の穴
１４ｄ    楕円形状の穴
１４ｅ    長円形状の穴
１７    側面片
２１    余長部分
２５    雄金具
２６    雌金具
２７    板ばね
２８    押し下げ部
３０    ケース
５１、７１、７５    装身具
５２    バンド
５４    端末部材
７２    ベルト部材
７３    カバー部材
【図１】
2018134375.tif 000003
【図２】
2018134375.tif 000004
【図３】
2018134375.tif 000005
【図４】
2018134375.tif 000006
【図５】
2018134375.tif 000007
【図６】
2018134375.tif 000008
【図７】
2018134375.tif 000009
【図８】
2018134375.tif 000010
【図９】
2018134375.tif 000011
【図１０】
2018134375.tif 000012
【図１１】
2018134375.tif 000013
【図１２】
2018134375.tif 000014
【図１３】
2018134375.tif 000015
【図１４】
2018134375.tif 000016
【図１５】
2018134375.tif 000017
【図１６】
2018134375.tif 000018
【図１７】
2018134375.tif 000019
【図１８】
2018134375.tif 000020
【図１９】
2018134375.tif 000021
【図２０】
2018134375.tif 000022
【図２１】
2018134375.tif 000023
【図２２】
2018134375.tif 000024
【図２３】
2018134375.tif 000025
【図２４】
2018134375.tif 000026
【図２５】
2018134375.tif 000027
【図２６】
2018134375.tif 000028
【図２７】
2018134375.tif 000029
【図２８】
2018134375.tif 000030
【図２９】
2018134375.tif 000031
【図３０】
2018134375.tif 000032
【図３１】
2018134375.tif 000033